(57)【要約】【課題】充分な支持強度を備えるものでありながら、車体フレームの構造を簡素化させることが可能な刈取収穫機を提供する。【解決手段】左右一対の前輪１と左右一対の後輪２とを備えた走行車体に、搭乗運転部、作物を刈り取って後方に搬送する刈取搬送部、駆動用のエンジンが備えられ、走行車体における車体フレームＦが、走行車体の左右両側に位置し且つ走行車体の前後方向にわたって延びる状態で配備された左右一対の前後向きフレーム体１７Ｒ，１７Ｌを備えて構成されている刈取収穫機。【選択図】図８
2013158257.tif 000002
【特許請求の範囲】
【請求項１】
左右一対の前輪と左右一対の後輪とを備えた走行車体に、搭乗運転部と、作物を刈り取って後方に搬送する刈取搬送部と、駆動用のエンジンとが備えられ、
前記走行車体における車体フレームが、前記走行車体の左右両側に位置し且つ前記走行車体の前後方向にわたって延びる状態で配備された左右一対の前後向きフレーム体を備えて構成されている刈取収穫機。
【請求項２】
前記車体フレームが、車体前後方向において前記前輪と前記後輪との間に位置する箇所に、前記一対の前後向きフレーム体から車体横幅方向外方側に張り出す張り出しフレーム部を備えて構成されている請求項１記載の刈取収穫機。
【請求項３】
前記張り出しフレーム部に支持される状態で前記エンジンが配備されている請求項２記載の刈取収穫機。
【請求項４】
前記エンジンは、前記張り出しフレーム部の前側部分に支持されている請求項３に記載の刈取収穫機。
【請求項５】
前記エンジンは、前記前後向きフレーム体に支持されている請求項１〜４のいずれか１項に記載の刈取収穫機。
【請求項６】
前記左右一対の前後向きフレーム体は、前記走行車体の全長にわたって延びるように構成されている請求項１〜５のいずれか１項に記載の刈取収穫機。
【請求項７】
前記車体フレームにおける前記一対の前後向きフレーム体と前記張り出しフレーム部とにより、平面視で前記走行車体の四隅に対応する位置に形成される凹入部に、前記前輪及び前記後輪が配備されている請求項２〜６のいずれか１項に記載の刈取収穫機。
【請求項８】
前記一対の前後向きフレーム体が、前記一対の前輪及び前記一対の後輪よりも車体横幅方向内方側に位置する状態で備えられ、
前記一対の前後向きフレーム体の車体横幅方向の中央部から前記前後向きフレーム体までの車体横幅方向の間隔が、前記前後向きフレーム体と前記前輪及び前記後輪との間での車体横幅方向の間隔よりも大になるように構成されている請求項１〜７のいずれか１項に記載の刈取収穫機。
【請求項９】
前記一対の前後向きフレーム体の間に位置し、かつ前記一対の前後向きフレーム体に固定された前後向きの補助フレーム体を備えている請求項１〜８のいずれか１項に記載の刈取収穫機。
【請求項１０】
前記刈取搬送部にて刈り取られた作物の脱穀処理を行う脱穀部が前記車体フレームに支持される状態で備えられている請求項９記載の刈取収穫機。
【請求項１１】
前記脱穀部は、前記前後向きフレーム体に支持されている請求項１０に記載の刈取収穫機。
【請求項１２】
前記エンジンが前記一対の前後向きフレーム体のうち一方の前後向きフレーム体に支持され、前記脱穀部が前記一対の前後向きフレーム体のうち他方の前後向きフレーム体に支持されている請求項１０又は１１に記載の刈取収穫機。
【請求項１３】
前記脱穀部にて脱穀処理されて得られた穀粒を貯留する穀粒タンクが前記脱穀部の上方に位置する状態で備えられている請求項１０〜１２のいずれか１項に記載の刈取収穫機。
【請求項１４】
前記車体フレームから固定延設される状態で前記穀粒タンクを支持するタンク支持用フレーム体が設けられている請求項１３に記載の刈取収穫機。
【請求項１５】
前記脱穀部は、前記補助フレーム体に支持されている請求項１０〜１４のいずれか１項に記載の刈取収穫機。
【請求項１６】
前記脱穀部は、側面視において、その前端が前記張り出しフレーム部の前端よりも前方に位置するように配備されている請求項１０〜１５のいずれか１項に記載の刈取収穫機。
【請求項１７】
前記車体フレームが、前記一対の前後向きフレーム体の車体前端部同士を連結する前部側横向きフレーム体と、前記左右一対の前後向きフレーム体の車体後端側同士を連結する後部側横向きフレーム体とを備えて構成されている請求項１〜１６のいずれか１項に記載の刈取収穫機。
【請求項１８】
前記左右一対の後輪を支持する後車軸ケースが、前記後部側横向きフレーム体に対して車体前後軸芯周りで揺動自在に支持されている請求項１７に記載の刈取収穫機。
【請求項１９】
前記一対の前後向きフレーム体が、前記後車軸ケースと略同じ高さに位置する本体部と、前記後車軸ケースの上方側に位置するように前記本体部から後方上方に延設された車輪支持部とを備えて構成されている請求項１８に記載の刈取収穫機。
【請求項２０】
前記刈取搬送部が車体前部に備えられ、
前記左右一対の前輪が操向操作不能で且つ前記左右一対の後輪が操向操作可能に構成されている請求項１〜１９のいずれか１項に記載の刈取収穫機。
【請求項２１】
前記刈取搬送部が横向き支点周りで昇降揺動自在に設けられ、
前記刈取搬送部を昇降駆動する昇降用アクチュエータの基端部が前記車体フレームの車体前部側箇所に支持されている請求項２０記載の刈取収穫機。
【発明の詳細な説明】
【技術分野】
【０００１】
本発明は、コンバインやトウモロコシ収穫機等、走行車体に作物を刈り取って後方に搬送する刈取搬送部を備えた刈取収穫機に関する。
【背景技術】
【０００２】
従来の刈取収穫機の一例として、左右一対の前輪と左右一対の後輪とを備えた４輪式の走行車体を有する収穫機において、走行車体に備えられる車体フレームが、キャビンにて覆われた搭乗運転部及び駆動用のエンジンを備えた原動部等の車体を構成する主要な構成要素を載置支持する平面視で略矩形状の機台が備えられ、その機台が下方に向けて一体的に延設された複数の縦フレーム部を介して左右両側の前輪及び左右両側の後輪に支持されるように構成されたものがあった（例えば、特許文献１参照。）。特許文献１では示されていないが、刈取収穫機としてコンバインに適用する場合には、機台上に脱穀装置や穀粒タンク等の大重量の装置を載置支持することになる。
【先行技術文献】
【特許文献】
【０００３】
【特許文献１】特開昭６１−２１５１１０号公報
【発明の概要】
【発明が解決しようとする課題】
【０００４】
上記従来構成では、車体フレームが、重量の大きな車体の主要な構成要素を載置支持する機台と、その機台から下方に向けて一体的に延設される複数の縦フレーム部とで構成されるので、機台部分が支持する大きな荷重を複数の縦フレーム部にて支持することになる。
【０００５】
しかし、刈取収穫機は凹凸の多い作業地を走行するので、複数の縦フレームに対して大きな荷重を支持する機台側から車体前後方向や車体横幅方向に沿う力が掛かる場合があり、そのような力が加わると縦フレームと機台部分との接続部分が損傷するおそれが大きいものとなる等、車体フレームの剛性が低くなり易い不利があった。又、剛性を高めるために、縦フレームの個数が多くなったり、縦フレームと機台部分との連結部分の強度を向上させるために特別な構造を付加する必要があり、車体全体の構造が複雑になる不利もあった。
【０００６】
本発明の目的は、充分な支持強度を備えるものでありながら、車体フレームの構造を簡素化させることが可能な刈取収穫機を提供する点にある。
【課題を解決するための手段】
【０００７】
本発明に係る刈取収穫機の第１特徴構成は、左右一対の前輪と左右一対の後輪とを備えた走行車体に、搭乗運転部と、作物を刈り取って後方に搬送する刈取搬送部と、駆動用のエンジンとが備えられ、前記走行車体における車体フレームが、前記走行車体の左右両側に位置し且つ前記走行車体の前後方向にわたって延びる状態で配備された左右一対の前後向きフレーム体を備えて構成されている点にある。
【０００８】
第１特徴構成によれば、車体フレームにおける左右一対の前後向きフレーム体が、走行車体の左右両側に位置し且つ走行車体の前後方向にわたって延びる状態で配備されるものであるから、左側の前輪と左側の後輪とを夫々、左側の前後向きフレーム体に近接させた状態で支持することができ、右側の前輪と右側の後輪とを夫々、右の前後向きフレーム体に近接させた状態で支持することができる。又、左右一対の前後向きフレーム体にて、搭乗運転部やエンジン等を載置させた状態で、上下方向にコンパクトにそれらを支持させることができる。
【０００９】
その結果、一対の前後向きフレーム体を車体フレームの主要な構造体として、上下方向にコンパクトな形状で走行車体を支持することが可能であり、大きな荷重を下側で支える状態で上下方向に長く延びる縦向き部材を設ける必要がなく、車体フレームが全体として簡素な構造のものになる。
【００１０】
しかも、一対の前後向きフレーム体を前輪及び後輪に対して近接させた低い位置で支持させることができ、前輪及び後輪に対して近接させた低い位置に配備された一対の前後向きフレーム体により、車体全体の重量を充分な支持強度を有する状態で支持させることができる。
【００１１】
従って、充分な支持強度を備えるものでありながら、車体フレームの構造を簡素化させることが可能な刈取収穫機を提供できるに至った。
【００１２】
本発明の第２特徴構成は、前記車体フレームが、車体前後方向において前記前輪と前記後輪との間に位置する箇所に、前記一対の前後向きフレーム体から車体横幅方向外方側に張り出す張り出しフレーム部を備えて構成されている点にある。
【００１３】
第２特徴構成によれば、車体前後方向において前輪と後輪との間に位置する箇所から、車体横幅方向外方側に張り出す張り出しフレーム部が備えられるから、前輪と後輪との間の空間を有効に利用して、その張り出しフレーム部に載置支持させる状態で走行車体に備えられる種々の装置を支持させることができる。
【００１４】
本発明の第３特徴構成は、前記張り出しフレーム部に支持される状態で前記エンジンが配備されている点にある。
【００１５】
第３特徴構成によれば、張り出しフレーム部にエンジンを支持するようにしたので、前輪と後輪との間の空間を有効に利用して、機体を駆動するために必要となるエンジンを配備させることができる。
【００１６】
本発明の第４特徴構成は、前記エンジンは、前記張り出しフレーム部の前側部分に支持されている点にある。
【００１７】
第４特徴構成によれば、エンジンは張り出しフレーム部の前側部分に支持されるので、張り出しフレーム部の後側部分を利用して、例えば他の装置を支持させたり、作業用の空間を確保する等、前輪と後輪との間の空間をより一層有効に利用することができる。
【００１８】
本発明の第５特徴構成は、前記エンジンは、前記前後向きフレーム体に支持されている点にある。
【００１９】
第５特徴構成によれば、エンジンが前後向きフレーム体に支持されるので、重量の大きい装置であるエンジンを主要なフレーム体である前後向きフレーム体にて支持することにより、例えば、張り出しフレーム部だけで支持する場合に比べてエンジンを強固に支持させることができる。
【００２０】
本発明の第６特徴構成は、前記左右一対の前後向きフレーム体は、前記走行車体の全長にわたって延びるように構成されている点にある。
【００２１】
第６特徴構成によれば、走行車体の全長にわたって延びる左右の前後向きフレーム体により、車体全体を充分な支持強度を有する状態で強固に支持することができる。
【００２２】
本発明の第７特徴構成は、前記車体フレームにおける前記一対の前後向きフレーム体と前記張り出しフレーム部とにより、平面視で前記走行車体の四隅に対応する位置に形成される凹入部に、前記前輪及び前記後輪が配備されている点にある。
【００２３】
第７特徴構成によれば、一対の前後向きフレーム体と前記張り出しフレーム部とが、平面視において走行車体の四隅に対応する位置に凹入部が形成される状態で設けられ、その四隅に形成された凹入部を利用して前輪及び後輪が備えられる。
【００２４】
このように構成することで、車体フレームを極力大型にして支持強度を高めるようにしながら、走行車体の前後長や横幅をできるだけコンパクトにすることができる。
【００２５】
本発明の第８特徴構成は、前記一対の前後向きフレーム体が、前記一対の前輪及び前記一対の後輪よりも車体横幅方向内方側に位置する状態で備えられ、
前記一対の前後向きフレーム体の車体横幅方向の中央部から前記前後向きフレーム体までの車体横幅方向の間隔が、前記前後向きフレーム体と前記前輪及び前記後輪との間での車体横幅方向の間隔よりも大になるように構成されている点にある。
【００２６】
第８特徴構成によれば、前後向きフレーム体と前輪及び後輪との間での車体横幅方向の間隔が小さく、車体横幅方向の中央部から前後向きフレーム体までの車体横幅方向の間隔が大きいものとなるので、前後向きフレーム体と左右の前輪及び後輪とが近づいた状態で左右両側の前後向きフレーム体同士の間隔が大きいものとなる。
【００２７】
従って、車体横幅方向に大きく間隔をあけて設けられる左右一対の前後向きフレーム体と、それに近付いた状態で備えられる左右の前輪及び左右の後輪により、安定した状態で走行車体を支持することができる。
【００２８】
本発明の第９特徴構成は、前記一対の前後向きフレーム体の間に位置し、かつ前記一対の前後向きフレーム体に固定された前後向きの補助フレーム体を備えている点にある。
【００２９】
第９特徴構成によれば、一対の前後向きフレーム体同士の間の横幅方向の間隔が大きくあいており、しかも、重量の大きい装置が左右いずれかに片寄った状態で搭載されるような場合であっても、一対の前後向きフレーム体の間に位置する状態で設けられた補助フレームと、片寄った側の一方の前後向きフレーム体により安定的に支持することができる。
【００３０】
本発明の第１０特徴構成は、前記刈取搬送部にて刈り取られた作物の脱穀処理を行う脱穀部が前記車体フレームに支持される状態で備えられている点にある。
【００３１】
第１０特徴構成によれば、刈取搬送部にて刈り取られた作物の脱穀処理が脱穀部にて行われる。刈取搬送部にて刈り取られた作物は車体後方に向けて搬送されるので、脱穀部は刈取搬送部の車体後方側に位置することになる。脱穀部は、内部に作物に対する扱処理用の扱胴等を供えて重量の大きい装置となるものであるが、その脱穀部は車体フレームにて安定的に支持されることになる。
【００３２】
本発明の第１１特徴構成は、前記脱穀部は、前記前後向きフレーム体に支持されている点にある。
【００３３】
第１１特徴構成によれば、脱穀部を車体フレームにおける主要なフレーム構造体である前後向きフレーム体により安定的に支持することができる。
【００３４】
本発明の第１２特徴構成は、前記エンジンが前記一対の前後向きフレーム体のうち一方の前後向きフレーム体に支持され、前記脱穀部が前記一対の前後向きフレーム体のうち他方の前後向きフレーム体に支持されている点にある。
【００３５】
第１２特徴構成によれば、エンジンが一方の前後向きフレーム体に支持され、脱穀部が他方の前後向きフレーム体に支持される。つまり、エンジンと脱穀部とを左右両側の前後向きフレーム体に振り分けて支持させるようにしたので、例えば、エンジンと脱穀部とを共に、走行車体における横幅方向のいずれか一方に片寄せて配備するようにして、夫々を一方の前後向きフレーム体に支持させるような構成に比べて、極力荷重を左右に均等化させた状態で安定的に支持させることができる。
【００３６】
本発明の第１３特徴構成は、前記脱穀部にて脱穀処理されて得られた穀粒を貯留する穀粒タンクが前記脱穀部の上方に位置する状態で備えられている点にある。
【００３７】
第１３特徴構成によれば、脱穀部にて脱穀処理されて得られた穀粒が穀粒タンクに貯留される。そして、この穀粒タンクは脱穀部の上方に位置する状態で備えられるので、脱穀部の上方空間を有効利用して、車体全体の形状を大型化させることのない状態で穀粒タンクを配置することができる。
【００３８】
つまり、例えば、穀粒タンクを脱穀部の横側方や後方側に位置するように並べて備える場合には、車体横幅や車体前後長が大きくなり走行車体を大型化させる不利があるが、穀粒タンクを脱穀部の上方に位置させることで走行車体を大型化させることがない状態でコンパクトに配備できる。
【００３９】
本発明の第１４特徴構成は、前記車体フレームから固定延設される状態で前記穀粒タンクを支持するタンク支持用フレーム体が設けられている点にある。
【００４０】
第１４特徴構成によれば、車体フレームから固定延設されたタンク支持用フレーム体にて穀粒タンクを支持するようにしたので、穀粒タンクを、タンク支持用フレーム体を介して車体フレームにて安定的に支持することができる。
【００４１】
本発明の第１５特徴構成は、前記脱穀部は、前記補助フレーム体に支持されている点にある。
【００４２】
第１５特徴構成によれば、脱穀部が前記補助フレーム体、すなわち、一対の前後向きフレーム体の間に位置しかつ一対の前後向きフレーム体に固定された前後向きの補助フレーム体に支持される。
【００４３】
つまり、脱穀部が車体横幅方向一方側に片寄った状態で配備されるような場合であっても、一対の前後向きフレーム体のうちの車体横幅方向一方側に位置する前後向きフレーム体と補助フレーム体とにより、脱穀部を安定的に支持することが可能となる。
【００４４】
本発明の第１６特徴構成は、前記脱穀部は、側面視において、その前端が前記張り出しフレーム部の前端よりも前方に位置するように配備されている点にある。
【００４５】
第１６特徴構成によれば、側面視において、脱穀部の前端が張り出しフレーム部の前端よりも前方に位置しているので、張り出しフレーム部にて脱穀部の荷重を支持することになる。つまり、張り出し型の横向きフレーム体により脱穀部の荷重を支持することにより、脱穀部が車体横幅方向一方側に片寄った状態で配備されるような場合であっても、車体横幅方向一方側に位置する前後向きフレーム体よりも外方に張り出した箇所は、張り出しフレーム部により支持されることになり、安定した状態で脱穀部を支持することができる。
【００４６】
本発明の第１７特徴構成は、前記車体フレームが、前記一対の前後向きフレーム体の車体前端部同士を連結する前部側横向きフレーム体と、前記左右一対の前後向きフレーム体の車体後端側同士を連結する後部側横向きフレーム体とを備えて構成されている点にある。
【００４７】
第１７特徴構成によれば、左右一対の前後向きフレーム体は、車体前端部同士が前部側横向きフレーム体により連結され、車体後端側同士が後部側横向きフレーム体により連結される。このように左右一対の前後向きフレーム体と、前部側横向きフレーム体と、後部側横向きフレーム体とにより、平面視で略角形枠状に一体的に連結される状態で強固な枠組構造体が形成される。
【００４８】
このように、平面視で略角形枠状の強固な枠組構造体を形成することにより、車体フレームにおける支持強度を向上させることができ、しかも、前部側横向きフレーム体及び後部側横向きフレーム体を、例えば前輪や後輪等を支持させるための支持部材に兼用構成することができ、部材の兼用により構造を複雑化させることなく支持強度を向上させることができる。
【００４９】
本発明の第１８特徴構成は、前記左右一対の後輪を支持する後車軸ケースが、前記後部側横向きフレーム体に対して車体前後軸芯周りで揺動自在に支持されている点にある。
【００５０】
第１８特徴構成によれば、走行路面に凹凸が存在しており、作業走行に伴って凹凸に追従して走行車体が左右に傾斜することがあっても、左右一対の後輪を支持する後車軸ケースが、後部側横向きフレーム体に対して車体前後軸芯周りで揺動することにより、左右一対の後輪を地面の凹凸に沿わせるようにしながら走行車体の左右傾斜を極力少なくさせることができる。
【００５１】
本発明の第１９特徴構成は、前記一対の前後向きフレーム体が、前記後車軸ケースと略同じ高さに位置する本体部と、前記後車軸ケースの上方側に位置するように前記本体部から後方上方に延設された車輪支持部とを備えて構成されている点にある。
【００５２】
第１９特徴構成によれば、一対の前後向きフレーム体夫々の本体部が、後車軸ケースと略同じ高さに位置する低い位置に設けられるので、車体全体の重心位置が極力低くなる状態で走行車体を支持することができる。
【００５３】
そして、後車軸ケースを支持する車輪支持部は、後車軸ケースの上方側に位置するように本体部から後方上方に延設された状態で高い位置に設けられる。このように高い位置に設けられることで、後車軸ケースに干渉しないように迂回させることができ、左右両側の車輪支持部同士を後部側横向きフレーム体により連結して、後部側横向きフレーム体の下部側にて後車軸ケースを車体前後軸芯周りで揺動自在に支持させることができる。
【００５４】
従って、後部側横向きフレーム体にて後車軸ケースを車体前後軸芯周りで揺動自在に支持させることができるものでありながら、車体全体の重心位置が極力低くなる状態で走行車体を支持することができる。
【００５５】
本発明の第２０特徴構成は、前記刈取搬送部が車体前部に備えられ、前記左右一対の前輪が操向操作不能で且つ前記左右一対の後輪が操向操作可能に構成されている点にある。
【００５６】
第２０特徴構成によれば、刈取搬送部が車体前部に備えられており、前輪は操向せず、後輪が操向操作可能であるから、走行車体の前部側を旋回中心にして操向させることができる。つまり、刈取搬送部の位置を大きく変化させることなく、走行車体の向きを変更させることが可能となる。
【００５７】
その結果、圃場において刈取作業する場合に、圃場内で小回り旋回が可能となって、例えば、１つの作業行程での作業が終了して次回の作業行程に向けて旋回走行するような場合に、次回の作業行程に向けての旋回走行が行い易いものとなる。
【００５８】
本発明の第２１特徴構成は、前記刈取搬送部が横向き支点周りで昇降揺動自在に設けられ、前記刈取搬送部を昇降駆動する昇降用アクチュエータの基端部が前記車体フレームの車体前部側箇所に支持されている点にある。
【００５９】
第２１特徴構成によれば、刈取搬送部が横向き支点周りで昇降揺動自在に設けられ、昇降用アクチュエータの基端部が車体フレームの車体前部側箇所に支持され、先端部が刈取搬送部に連結される。そして、この昇降用アクチュエータを作動させることで、刈取搬送部が横向き支点周りで駆動昇降操作される。
【００６０】
このように昇降用アクチュエータの基端部が車体フレームの車体前部側箇所に支持されるので、昇降用アクチュエータは、刈取搬送部の荷重を車体フレームの車体前部側箇所にて受け止め支持しながら、刈取搬送部の昇降操作を良好に行うことができる。
【図面の簡単な説明】
【００６１】
【図１】コンバインの右側全体側面図である。
【図２】コンバインの左側全体側面図である。
【図３】コンバインの全体平面図である。
【図４】コンバインの全体背面図である。
【図５】コンバインの全体正面図である。
【図６】フレーム構造を示す斜視図である。
【図７】フレーム構造を示す平面図である。
【図８】フレーム構造を示す斜視図である。
【図９】フレーム構造を示す背面図である。
【図１０】車体前部のフレーム構造を示す平面図である。
【図１１】フレーム構造を示す正面図である。
【図１２】フレーム構造を示す側面図である。
【図１３】エンジンの吸排気構造を示す図である。
【発明を実施するための形態】
【００６２】
以下、図面に基づいて、本発明に係る刈取収穫機をコンバインに適用した場合について説明する。
図１〜図３に示すように、コンバインは、左右一対の操向不能な前輪１と左右一対の操向操作可能な後輪２とを備えた走行車体３の前部に、作物を刈り取って後方に搬送する刈取搬送部４が昇降用アクチュエータとしての刈取昇降シリンダ５により横向き支点Ｐ１周りで駆動昇降自在に支持され、走行車体３には、前部側にキャビン６にて覆われた搭乗運転部７、刈取搬送部４にて刈り取られた作物の脱穀処理を行う脱穀部８、その脱穀部８にて脱穀処理されて得られた穀粒を貯留する穀粒タンク９、駆動用のエンジン１０等が備えられている。又、走行車体３の左右両側部はカバー体６２にて覆われる構成となっている。
【００６３】
刈取搬送部４は、植立する作物を刈り取ったのち刈り取った作物を刈幅方向の中央部に寄せ集める刈取部１１と、刈り取られて中央に寄せ集められた作物を機体後方の脱穀部８に向けて搬送するフィーダ１２とを備えて構成されている。
【００６４】
図３に示すように、刈取部１１は、作物の株元を切断して刈り取るバリカン型の刈刃１３、刈り取った作物を刈幅方向の中央部に寄せ集める横送りオーガ１４、刈取対象となる作物の穂先側を後方に向けて掻込む回転リール１５等を備えて構成されている。フィーダ１２は、図示はしないが、角筒状のフィードケース内に、前後方向に亘って左右一対の無端回動チェーンが巻回張設され、左右の無端回動チェーンにわたり周方向に沿って適宜間隔をあけて搬送体を架設してあり、搬送体によって刈取部１１から受け渡された作物を後方上方に向けて搬送するように構成されている。
【００６５】
次に、走行車体３における車体支持構造について説明する。
図６〜図８に示すように、走行車体３の車体フレームＦは、走行車体３の左右両側に位置し且つ走行車体３の前後方向にわたって延びる状態で配備された複数の前後向きフレーム体１７、及び、走行車体３の横方向に沿って延びる複数の横向きフレーム体１８を備えて構成されている。
【００６６】
具体的には、複数の前後向きフレーム体１７の一例として、左右一対の前後向きフレーム体１７Ｒ，１７Ｌが備えられ、左右一対の前後向きフレーム体１７Ｒ，１７Ｌは、夫々、断面形状が略コの字形に形成されて、車体側面視で左右前輪１の略中心部に相当する位置から左右後輪２の略中心部に相当する位置まで車体前後方向の全長にわたって長く延びる状態で備えられている。
【００６７】
図９に示すように、左右一対の前後向きフレーム体１７Ｒ，１７Ｌは、夫々、断面形状が略コの字形に形成されて、車体側面視で左右前輪１の略中心部に相当する位置から左右後輪２の略中心部に相当する位置まで車体前後方向の略全長にわたって長く延びる状態で備えられている。
【００６８】
又、一対の前後向きフレーム体１７Ｒ，１７Ｌは、一対の前輪１及び一対の後輪２よりも車体横幅方向内方側に位置する状態で備えられ、一対の前後向きフレーム体１７Ｒ，１７Ｌの車体横幅方向の中央部ＣＬから前後向きフレーム体（１７Ｒ又は１７Ｌ）までの車体横幅方向の間隔Ｌ１が、前後向きフレーム体（１７Ｒ又は１７Ｌ）と前輪１及び後輪２との間での車体横幅方向の間隔（Ｌ２，Ｌ３）よりも大になるように構成されている。
【００６９】
すなわち、図９に示すように、一対の前後向きフレーム体１７Ｒ，１７Ｌの車体横幅方向の中央部ＣＬから前後向きフレーム体（１７Ｒ又は１７Ｌ）までの車体横幅方向の間隔Ｌ１が、左右の前後向きフレーム体（１７Ｒ又は１７Ｌ）と左右の前輪１との間での車体横幅方向の間隔Ｌ２よりも大となり、又、前記車体横幅方向の中央部ＣＬから前後向きフレーム体（１７Ｒ又は１７Ｌ）までの車体横幅方向の間隔Ｌ１が、左右の前後向きフレーム体（１７Ｒ又は１７Ｌ）と左右両側の後輪２との間での車体横幅方向の間隔Ｌ３よりも大となるように構成されている。
このように、左右一対の前後向きフレーム体１７Ｒ，１７Ｌは、走行車体３の横幅方向に広い間隔をあける状態で且つ左右両側の前輪１及び後輪２に極力近づけた状態で配備されている。
【００７０】
図７及び図８に示すように、複数の横向きフレーム体１８として、走行車体３の横方向に沿って延びる状態で且つ前後方向に間隔をあけた状態で６個の横向きフレーム体１８ａ〜１８ｆが備えられ、これらの横向きフレーム体１８ａ〜１８ｆと一対の前後向きフレーム体１７Ｒ，１７Ｌとを平面視で格子状に組み合わせて車体フレームＦが構成されている。
【００７１】
一対の前後向きフレーム体１７Ｒ，１７Ｌの車体前端部同士が、６個の横向きフレーム体１８ａ〜１８ｆのうちの車体前後方向の最前部に位置する前部側横向きフレーム体１８ａによって連結されており、一対の前後向きフレーム体１７Ｒ，１７Ｌの車体後端部同士が、６個の横向きフレーム体１８ａ〜１８ｆのうちの車体前後方向の最後部に位置する後部側横向きフレーム体１８ｆによって連結されている。
【００７２】
又、車体フレームＦは、車体前後方向において前輪１と後輪２との間に位置する箇所に、一対の前後向きフレーム体１７Ｒ，１７Ｌから車体横幅方向外方側に張り出す張り出しフレーム部Ｆｈを備えて構成されている。
【００７３】
すなわち、６個の横向きフレーム体１８ａ〜１８ｆのうち、前輪１と後輪２との間に位置する３本の横向きフレーム体１８ｃ〜１８ｅが、前後向きフレーム体１７Ｒ，１７Ｌから車体横幅方向外方側に張り出すように構成され、これらの張り出し型の横向きフレーム体１８ｃ〜１８ｅにおける前後向きフレーム体１７Ｒ，１７Ｌから車体横幅方向外方側に張り出す部分が前記張り出しフレーム部Ｆｈを構成している。
【００７４】
図７に示すように、３本の張り出し型の横向きフレーム体１８ｃ〜１８ｅのうち、車体前部に位置する２本の張り出し型の横向きフレーム体１８ｃ，１８ｄにおける右側外方側に張り出している張り出しフレーム部Ｆｈに支持される状態でエンジン１０が配備されている。
【００７５】
具体的に説明すると、図８及び図９にも示すように、車体前部に位置する２本の張り出し型の横向きフレーム体１８ｃ，１８ｄの右側外方側に張り出している張り出しフレーム部Ｆｈの上部、及び、右側の前後向きフレーム体１７Ｒの上部にわたってエンジン１０が搭載されて支持される構成となっている。そして、２本の張り出し型の横向きフレーム体１８ｃ，１８ｄの外方側端部同士を前後向き連結フレーム体１９にて連結する構成となっており、この前後向き連結フレーム体１９の後端部と右側の前後向きフレーム体１７Ｒとの間が補強用フレーム体２０が連結されている。
【００７６】
このように右側の前後向きフレーム体１７Ｒ、２本の張り出し型の横向きフレーム体１８ｃ，１８ｄ、前後向き連結フレーム体１９、補強用フレーム体２０等によって、充分な支持強度を有する状態でエンジン１０を支持する構成となっている。ちなみに、補強用フレーム体２０の下面側には縦向きの面を備えた補強リブ２１が設けられている。
【００７７】
３本の張り出し型の横向きフレーム体１８ｃ〜１８ｅのうちの車体後部に位置する２本の張り出し型の横向きフレーム体１８ｄ，１８ｅ同士の間は、車体前部に位置する２本の張り出し型の横向きフレーム体１８ｃ，１８ｄ同士の間隔よりも広くなるように設けられている。
【００７８】
図７に示すように、前部側横向きフレーム体１８ａの左右両側端部に、左右両側の前輪１に動力を伝達するための駆動用の前輪駆動ケース２２が各別に固定連結され、この前輪駆動ケース２２は、エンジン１０の動力がトランスミッションＭを介して伝達され、前輪１を駆動回転自在且つ操向不能な状態で支持する構成となっている。従って、前部側横向きフレーム体１８ａの左右両側端部にて、左右一対の前輪１が駆動回転自在に且つ操向不能な状態で支持される構成となっている。
【００７９】
図５に示すように、刈取搬送部４におけるフィーダ１２がキャビン６の下方に配備されており、そのフィーダ１２が、車体横幅方向中央に対して、車体横幅方向左側に変位した位置に配備されている。又、トランスミッションＭは、キャビン６の下方に位置する状態で、且つ、刈取搬送部４におけるフィーダ１２に対して進行方向視で右側（図５では左側）に位置する状態で配備されている。
【００８０】
図４に示すように、左右一対の後輪２を支持する後車軸ケース２３が、後部側横向きフレーム体１８ｆに対して車体前後軸芯Ｘ１周りで揺動自在に支持されている。つまり、車体横方向に延びる円筒状の後車軸ケース２３の左右両側部に左右の後輪２が縦軸芯Ｙ１周りで操向揺動自在に支持されるとともに、後車軸ケース２３の左右中間部が後部側横向きフレーム体１８ｆに備えられた支持ブラケット２５に対して車体前後軸芯Ｘ１周りで揺動自在に枢支連結されている。従って、左右の後輪２は後車軸ケース２３と一体的に車体前後軸芯Ｘ１周りで揺動自在に支持される構成となっている。
【００８１】
図８に示すように、後車軸ケース２３は、後部側横向きフレーム体１８ｆの下方側に位置する状態で備えられており、一対の前後向きフレーム体１７Ｒ，１７Ｌにおける後部側横向きフレーム体１８ｆが架設連結される車輪支持部Ｈ１は、それよりも車体前部側に位置して後車軸ケース２３と略同じ高さに位置する本体部Ｈ２に対して、上方側に位置するように形成されている。すなわち、一対の前後向きフレーム体１７Ｒ，１７Ｌは、後車軸ケース２３と略同じ高さに位置する本体部Ｈ２と、後車軸ケース２３の上方側に位置するように本体部Ｈ２から後方上方に延設された車輪支持部Ｈ１とを備えて構成されている。
【００８２】
図７及び図８に示すように、左右一対の前後向きフレーム体１７Ｒ，１７Ｌの左右中間部において、車体後部側に位置する２本の横向きフレーム体１８ｄ，１８ｅ同士にわたって、前後向きの補助フレーム体２６が架設連結されている。そして、左側の前後向きフレーム体１７Ｌ、補助フレーム体２６、三本の張り出し型の横向きフレーム体１８ｃ，１８ｄ，１８ｅの夫々により載置支持される状態で脱穀部８が備えられている。この脱穀部８は、エンジン１０の左横側方に位置する状態で、その横幅方向中心が走行車体３の横幅方向中心よりも左側に変位した状態で備えられている。
【００８３】
従って、エンジン１０が一対の前後向きフレーム体１７Ｒ，１７Ｌのうち一方（右側）の前後向きフレーム体１７Ｒに支持され、脱穀部８が一対の前後向きフレーム体１７Ｒ，１７Ｌのうち他方（左側）の前後向きフレーム体１７Ｌに支持される構成となっている。
【００８４】
図９に示すように、穀粒タンク９は、脱穀部８の上方に位置する状態で且つ脱穀部８の上方並びにエンジン１０を含む右側外方側に張り出している張り出しフレーム部Ｆｈの上方にわたる横方向に幅広に構成されている。そして、図８に示すように、右側外方側に張り出している張り出しフレーム部Ｆｈに相当する箇所において、車体フレームＦから立設する状態で延設されたタンク支持用フレーム体２７により支持される構成となっている。
【００８５】
図７及び図８に示すように、タンク支持用フレーム体２７は、補強用フレーム体２０における横外方側箇所と機体内方側箇所（右側の前後向きフレーム体１７Ｒとの連結箇所）、及び、車体最後部に位置する張り出し型の横向きフレーム体１８ｅにおける横外方側箇所と機体内方側箇所（右側の前後向きフレーム体１７Ｒとの連結箇所）の夫々（４箇所）に設けられ、穀粒タンク９は、これら４本のタンク支持用フレーム体２７によって支持される構成となっている。尚、車体最後部に位置する張り出し型の横向きフレーム体１８ｅの下部には、補強用フレーム体２０と同様な補強リブ２８が設けられている。
【００８６】
刈取搬送部４を昇降駆動する刈取昇降シリンダ５の基端部が車体フレームＦの車体前部側箇所に支持されている。
すなわち、図１０及び図１１に示すように、６個の横向きフレーム体１８ａ〜１８ｆのうち、前部側から２番目に位置する横向きフレーム体１８ｂが、一対の前後向きフレーム体１７Ｒ，１７Ｌの下面側に位置して、それら一対の前後向きフレーム体１７Ｒ，１７Ｌ同士を連結する構成となっており、その横体横幅方向の途中部から機体前方に向けてシリンダ用ブラケット２９が固定延設されている。このシリンダ用ブラケット２９の前端部に刈取昇降シリンダ５の基端部が横軸芯Ｐ２周り（図１２参照）で揺動自在に枢支連結されている。
【００８７】
シリンダ用ブラケット２９は、前部側横向きフレーム体１８ａから斜め下方に延設された補強部材３０が連結固定されるとともに、左側の前後向きフレーム体１７Ｌから横向きに延設された補強部材３１が連結固定されて、支持強度を向上させるようにしてあり、刈取搬送部４の重量を良好に受け止め支持することができるように構成されている。
【００８８】
車体フレームＦが上記したように構成されることから、図７に示すように、車体フレームＦは、一対の前後向きフレーム体１７Ｒ，１７Ｌと張り出しフレーム部Ｆｈとにより、平面視で走行車体３の四隅に対応する位置に凹入部Ｑが形成される状態で設けられることになり、この凹入部Ｑに、左右の前輪１及び左右の後輪２が夫々配備される構成となっている。
【００８９】
次に、キャビン６にて覆われる搭乗運転部７の支持構造について説明する。
図６及び図８に示すように、走行車体３の前部において、車体フレームＦにおける左右一対の前後向きフレーム体１７Ｒ，１７Ｌ夫々から立設された左右一対の縦フレームＦｔが備えられ、左右一対の縦フレームＦｔの上端部にて搭乗運転部７（キャビン６）が支持される構成となっている。左右一対の縦フレームＦｔは、夫々、左右一対の前輪１の車体横幅方向内方側にて立設された内側フレーム体３３と、左右一対の前輪１の車体後方側にて立設された外側フレーム体３４とを備えて構成されている。
【００９０】
前記内側フレーム体３３について説明する。
左右両側の内側フレーム体３３は、夫々、車体フレームＦにおける前後向きフレーム体１７Ｒ，１７Ｌから車体前方上方に向けて立設された傾斜状内側フレーム体３３Ａと、前後向きフレーム体１７Ｒ，１７Ｌから直上方に向けて立設された直立状内側フレーム体３３Ｂとで構成されている。又、傾斜状内側フレーム体３３Ａの上端部と直立状内側フレーム体３３Ｂの上端部とが前後向き連結体３７にて連結されている。
【００９１】
説明を加えると、図１２に示すように、左右一対の前後向きフレーム体１７Ｒ，１７Ｌの前部側箇所に一体的に連結された取付ブラケット３８Ｒ，３８Ｌの夫々から上方に向けて延びる状態で３本の内側フレーム体３３が固定立設されている。
３本の内側フレーム体３３のうち前後方向の中間に位置する内側フレーム体３３は、左右一対の前後向きフレーム体１７Ｒ，１７Ｌから直上方に向けて立設された直立状内側フレーム体３３Ｂにて構成され、残りの２本の内側フレーム体３３は、左右一対の前後向きフレーム体１７Ｒ，１７Ｌから車体前方上方に向けて立設された傾斜状内側フレーム体３３Ａにて構成されている。
【００９２】
そして、図１１にも示すように、３本の内側フレーム体３３の上端部同士が車体前後方向に延びる前後向き連結体３７によって一体的に連結固定されている。前後向き連結体３７はチャンネル材にて構成され、そのコの字形の内部空間に３本の内側フレーム体３３が嵌り込み一体的に連結される構成となっている。
【００９３】
図１２に示すように、前部側の２本の内側フレーム体３３は、下部が連結されており、そのうちの後部側に位置する直立状内側フレーム体３３Ｂが直上方に向けて立設され、前部側に位置する傾斜状内側フレーム体３３Ａが上方に向かうほど前方に向かう傾斜姿勢になり、それら２本の内側フレーム体３３（３３Ａ，３３Ｂ）が上方に向かうほど離間するような状態で設けられている。又、後端側の内側フレーム体３３（後部側の傾斜状内側フレーム体３３Ａ）は、下部の取り付け位置が直立状内側フレーム体３３Ｂよりも後方側に離間した位置であり、上方に向かうほど直立状内側フレーム体３３Ｂの上端部に近づくように斜め姿勢となるように設けられている。
【００９４】
直立状内側フレーム体３３Ｂ、前部側の傾斜状内側フレーム体３３Ａ、及び、前後向き連結体３７によって側面視で略三角形が形成されており、又、後部側の傾斜状内側フレーム体３３Ａ、直立状内側フレーム体３３Ｂ、及び、前後向きフレーム体１７Ｒ，１７Ｌの前部側箇所に一体的に連結された取付ブラケット３８Ｒ，３８Ｌとによって、側面視で略三角形が形成されており、これらの各フレーム体によりトラス構造に相当するような支持構造が形成されている。従って、充分な支持強度を有する状態で搭乗運転部７（キャビン６）が支持される構成となっている。
【００９５】
次に、外側フレーム体３４について説明する。
図１０、図１１及び図１２に示すように、左右両側の外側フレーム体３４は、夫々、３本の張り出し型の横向きフレーム体１８ｃ，１８ｄ，１８ｅのうちの車体最前部に位置する横向きフレーム体１８ｃの横幅方向の両端部に連結ブラケット３９を介して下端部が連結され、その下端部から車体前方上方に向けて略円弧状に屈曲させた状態で延設する状態で設けられている。
【００９６】
外側フレーム体３４の上端部には、車体前後方向に沿って延びる角筒状の前後向き連結部材４０が固定され、この前後向き連結部材４０の車体前後方向両側部と前後向き連結体３７とにわたって前後一対の横向き連結部材４１が架設連結されている。そして、この横向き連結部材４１に対して左右両側で各２箇所ずつ合計４箇所にて、クッション材４２を介して搭乗運転部７（キャビン６）が支持される構成となっている。
【００９７】
このように、外側フレーム体３４と内側フレーム体３３とが、前後向き連結部材４０、前後一対の横向き連結部材４１、及び、前後向き連結体３７の夫々によって一体的に連結されて、縦フレームＦｔが構成されており、キャビン６は、左右一対の前後向きフレーム体１７Ｒ、１７Ｌ夫々から立設された左右一対の縦フレームＦｔの上端部にて支持される構成となっている。
【００９８】
上述したように、縦フレームＦｔとして、左右一対の前後向きフレーム体１７Ｒ，１７Ｌから車体前方上方に向けて立設された傾斜状内側フレーム体３３Ａを備える構成としてあり、図１２に示すように、搭乗運転部７（キャビン６）が、その前端部を左右一対の前後向きフレーム体１７Ｒ，１７Ｌの前端部よりも車体前方側に変位させた前方突出状態で設けられる構成となっている。
【００９９】
このように搭乗運転部７（キャビン６）が、左右両側の縦フレームＦｔによってその下方側に空間が形成される状態で支持されており、刈取搬送部４におけるフィーダ１２が左右両側の縦フレームＦｔの間であって且つ搭乗運転部７（キャビン６）の下方側箇所を通して刈り取った作物を後方に搬送するように構成されている。
【０１００】
図１及び図２に示すように、キャビン６には、車体前方外方側及び車体横幅方向外方側を照明する照明装置としての複数の照明ランプ４３が備えられている。
図５に示すように、キャビン６の前面部の下部には、左右両側に２個ずつ合計４個の車体前方側の遠方を照らす前方照射ランプ４３ａが設けられ、キャビン６の前面部の上部には、左右両側に２個ずつ合計４個の車体前方の刈取対象箇所を照らす刈取箇所照射ランプ４３ｂが設けられている。そして、キャビン６の左右側面部における前側上部箇所には、夫々、１個ずつ車体横幅方向外方側を照明する側方照射ランプ４３ｃが設けられている。
【０１０１】
図５に示すように、搭乗運転部７（キャビン６）は、正面視において左右一対の前輪１夫々の上方箇所に亘って設けられており、キャビン６における右側（車体横幅方向一方側の一例）のドア４４よりも外側箇所にステップ部４５が備えられ、キャビン６における左側（車体横幅方向他方側の一例）の端部位置６Ｌと走行車体３の左側の端部位置３Ｌとが、車体横幅方向で略同じ位置に設定され、且つ、ステップ部４５における右側の端部位置４５Ｒと走行車体３の右側の端部位置３Ｒとが、車体横幅方向で略同じ位置に設定されている。キャビン６における左側のドア４６よりも外側箇所には、車体外方から搭乗運転部７に対して運転者が乗り降りするための乗降用の梯子６０が設けられている。
【０１０２】
そして、図３に示すように、キャビン６における右側の乗降用のドア４４が車体前部側の縦向き揺動支点Ｙ２周りで開閉自在に設けられ、キャビン６における左側の乗降用のドア４６が車体後部側の縦向き揺動支点Ｙ３周りで開閉自在に設けられている。
【０１０３】
キャビン６には、左右両側部に後方確認用のサイドミラー４７が備えられており、このサイドミラー４７は、角度調節自在であり、作業状況に応じて角度を調節できるようになっている。そのうち、ステップ部４５が設けられていないキャビン６の左側のサイドミラー４７は、左側のドア４６が車体後部側の縦向き揺動支点Ｙ３周りで開閉自在であることから、搭乗運転部７からドア４６をあけた状態で調節作業を行える。一方、キャビン６の右側のサイドミラー４７は、ドア４４を開けた状態で調節することはできないが、ドア４４を締めて作業者がステップ部４５上を移動することで作業を行える。
【０１０４】
上述したように、エンジン１０は、右側外方側に張り出している張り出しフレーム部Ｆｈの前側部分に支持されており、キャビン６の車体後方下方側に位置する状態で配備される構成となっている。
【０１０５】
そして、エンジン１０の排気ガスが通流する排気管４９、及び、エンジン１０に吸気される燃焼用の空気が通流する吸気管５０が、キャビン６の後側面６Ａに沿って上下方向に延びる状態で、且つ、排気管４９の上端に形成された排気ガス排出部５１を吸気管５０の上端に形成された空気取り入れ部としてのプレクリーナ５２よりも上方に離間して位置させた状態で備えられている。
【０１０６】
又、図３に示すように、脱穀部８から穀粒を穀粒タンク９に搬送する穀粒搬送装置５３が、穀粒タンク９とキャビン６との間に位置する状態で備えられ、その穀粒タンク９とキャビン６との間において、穀粒搬送装置５３における機体横幅方向の右側方箇所に排気管４９及び吸気管５０が備えられている。
【０１０７】
具体的には、図１３に示すように、エンジン１０の排気をエンジン１０の上方に位置する排気マフラー５４を通過した後にキャビン６の後側面６Ａに沿うように上方に案内する排気管４９が設けられている。排気管４９は、キャビン６の後側面６Ａに沿う箇所であって且つキャビン６の右側端部に対応する箇所に備えられ、その上端部に形成された排気ガス排出部５１がキャビン６の天井部６Ｂと略同じ高さになる状態で備えられている。
【０１０８】
排気管４９及び吸気管５０は夫々、キャビン６の後側面６Ａに沿う箇所であって且つキャビン６の右側端部に対応する箇所に備えられるが、吸気管５０は、キャビン６の右側端部のうち、キャビン６における機体横幅方向外方側に寄った箇所に備えられる。一方、排気管４９は、キャビン６の右側端部のうち、キャビン６における機体横幅方向中央側に寄った箇所に備えられている。
【０１０９】
図１３に示すように、エンジン１０に燃焼用空気を供給するための吸気管５０が、排気管４９と同様に、キャビン６の後側面６Ａに沿う箇所であって且つキャビン６の右側端部に対応する箇所に備えられており、プレクリーナ５２がキャビン６の上下中間部と略同じ高さに位置する状態で備えられている。
【０１１０】
吸気管５０により形成される燃焼用の空気の吸気経路途中に空気を清浄作用を発揮するエアークリーナ５５が介装されている。この吸気経路途中に介装されるエアークリーナ５５が、キャビン６の後部に搭乗運転部７の運転部ステップ５６と略同じ高さに形成された載置台５７に支持される状態で備えられている。
【０１１１】
説明を加えると、キャビン６の後側面６Ａにおける右側端部に、運転部ステップ５６の高さと略同じ高さに載置台５７が形成されており、この載置台５７に、キャビン６の右側面６Ｃよりも右側外方に突出させた状態で、エアークリーナ５５を載置させて位置固定状態で支持する構成となっている。
【０１１２】
このようにエアークリーナ５５を載置台５７に支持する構成とすることで、運転者がエアークリーナ５５の清掃やメンテナンス作業を行う場合には、車体から降りることなく、キャビン６における右側のドア４４よりも外側箇所に備えられたステップ部４５から作業を能率よく行うことができる。又、エアークリーナ５５だけでなく、プレクリーナ５２もキャビン６の右側面６Ｃよりも右側外方に突出させた状態で設けられるので、プレクリーナ５２のメンテナンス作業も行い易いものとなる。
【０１１３】
又、具体的な構成については詳述はしないが、穀粒タンク９に貯留される穀粒を機体外部に排出させるための穀粒排出部５８が、車体横幅方向の右側方箇所に位置する状態で備えられ、穀粒タンク９の穀粒排出状態をステップ部４５から確認することができる。
【０１１４】
〔別実施形態〕
（１）上記実施形態では、左右一対の前後向きフレーム体１７Ｒ，１７Ｌは、走行車体３の全長にわたって延びるように構成されるものを示したが、走行車体３の全長よりも短い範囲にわたって設けられるものでもよい。
【０１１５】
（２）上記実施形態では、エンジン１０が張り出しフレーム部Ｆｈの前側部分に支持される構成を示したが、張り出しフレーム部Ｆｈの後側部分に支持される構成や張り出しフレーム部Ｆｈの前後方向の全域にわたって支持される構成としてもよい。又、車体フレームＦに張り出しフレーム部Ｆｈを備えない構成として、エンジン１０を前後向きフレーム体１７Ｒ，１７Ｌだけで支持する構成としてもよい。
【０１１６】
（３）上記実施形態では、一対の前後向きフレーム体１７Ｒ，１７Ｌの間に前後向きの補助フレーム体２６を備えるものを示したが、このような補助フレーム体２６を備えない構成としてもよい。
【０１１７】
（４）上記実施形態では、穀粒タンク９が脱穀部８の上方に位置する状態で備えられる構成としたが、このような構成に代えて、穀粒タンク９と脱穀部８とが横方向又は前後方向に並ぶ状態で配備する構成としてもよい。
【０１１８】
（５）上記実施形態では、脱穀部８が、側面視において、その前端が張り出しフレーム部Ｆｈの前端よりも前方に位置するように配備されるものを示したが、脱穀部８が、側面視において、その前端が張り出しフレーム部Ｆｈの前端よりも後方に位置するように配備してもよい。
【０１１９】
（６）上記実施形態では、車体フレームＦが、一対の前後向きフレーム体１７Ｒ，１７Ｌの車体前端部同士を連結する前部側横向きフレーム体１８ａと、車体後端側同士を連結する後部側横向きフレーム体１８ｆとを備えて構成されるものを示したが、前後向きフレーム体１７Ｒ，１７Ｌの前後方向の端部同士を連結することなく、前後方向の途中部だけを連結する構成としてもよい。
【０１２０】
（７）上記実施形態では、左右一対の後輪２を支持する後車軸ケース２３が車体前後軸芯Ｘ１周りで揺動自在に支持される構成を示したが、後車軸ケース２３や後輪２を姿勢固定状態で備える構成としてもよい。
【０１２１】
（８）上記実施形態では、刈取収穫機としてコンバインを示したが、コンバインに限らず、トウモロコシ収穫機など刈り取った作物を脱穀することなくそのまま積載収納した状態で収穫する刈取収穫機であってもよい。
【産業上の利用可能性】
【０１２２】
本発明は、コンバインやトウモロコシ収穫機等、走行車体に作物を刈り取って後方に搬送する刈取搬送部を備えた刈取収穫機に適用できる。
【符号の説明】
【０１２３】
１                前輪
２                後輪
３                走行車体
４                刈取搬送部
５                刈取昇降用アクチュエータ
７                搭乗運転部
８                脱穀部
９                穀粒タンク
１０              エンジン
１７Ｒ，１７Ｌ    前後向きフレーム体
１８ａ〜１８ｆ    横向きフレーム体
２３              後車軸ケース
２６              補助フレーム体
２７              タンク支持フレーム体
ＣＬ              中央部
Ｆ                車体フレーム
Ｆｈ              張り出しフレーム部
Ｌ１，Ｌ２，Ｌ３  間隔
Ｐ１              支点
Ｑ                凹入部
Ｘ１              軸芯
【図１】
2013158257.tif 000003
【図２】
2013158257.tif 000004
【図３】
2013158257.tif 000005
【図４】
2013158257.tif 000006
【図５】
2013158257.tif 000007
【図６】
2013158257.tif 000008
【図７】
2013158257.tif 000009
【図８】
2013158257.tif 000010
【図９】
2013158257.tif 000011
【図１０】
2013158257.tif 000012
【図１１】
2013158257.tif 000013
【図１２】
2013158257.tif 000014
【図１３】
2013158257.tif 000015